(57)【要約】長さが被巻取材の幅と同一長さであるか、あるいは若干長い小幅の両面接着剤付テープを２本と、長さが前記両面接着剤付テープ及び被巻取材の幅よりも長い広幅の粘着性のバックアップテープ１本を用意し、１本目と２本目の両面接着剤付テープを、それぞれ隙間を空けて芯管の表面へ芯管軸と平行に貼り付け、次に被巻取材を１本目の両面接着剤付テープを始端として貼り付け、芯管を回転させ、２本目の両面接着剤付テープが存在する位置に至ったところで、被巻取材を２本目の両面接着剤付テープを貼り付け、１本目と２本目の両面接着剤付テープとその上に周回された被巻取材の上から、前記長さが被巻取材の幅よりも長い広幅の粘着性のバックアップテープを芯管上へ貼り付けた後、巻取りを継続する被巻取材の巻取り方法。巻取り時のしわやバギーの発生を抑制すること及び巻き取りのテンションを上げ巻き崩れを防止することができる被巻取材の巻取り方法を提供する。
2010061737.tif 000002
【特許請求の範囲】
【請求項１】
芯管への銅箔又は銅張り積層板の巻取りに際し、長さが銅箔の幅と同一長さであるか、あるいは若干長い小幅の両面接着剤付テープを２本と、長さが前記両面接着剤付テープ及び銅箔又は銅張り積層板の幅よりも長い広幅の粘着性のバックアップテープ１本を用意し、１本目と２本目の両面接着剤付テープを、それぞれ隙間を空けて芯管の表面へ芯管軸と平行に貼り付け、次に銅箔又は銅張り積層板を１本目の両面接着剤付テープを始端として貼り付け、隣り合う２本目の両面接着剤付テープが存在する方向とは逆方向に銅箔又は銅張り積層板が周回するように芯管を回転させ、２本目の両面接着剤付テープが存在する位置に至ったところで、銅箔又は銅張り積層板を２本目の両面接着剤付テープを貼り付けると共に、この地点で芯管の回転を停止させ、さらに１本目と２本目の両面接着剤付テープとその上に周回された銅箔又は銅張り積層板の上から、前記長さが銅箔又は銅張り積層板の幅よりも長い広幅の粘着性のバックアップテープを芯管上へ貼り付けた後、巻取りを継続することを特徴とする銅箔又は銅張り積層板の巻取り方法。
【請求項２】
両面接着剤付テープの幅を１０〜５０ｍｍとすることを特徴とする請求項１記載の銅箔又は銅張り積層板の巻取り方法。
【請求項３】
１本目と２本目の両面接着剤付テープの隙間を０.１〜３０ｍｍとすることを特徴とする請求項１又は２記載の銅箔又は銅張り積層板の巻取り方法。
【請求項４】
広幅の粘着性のバックアップテープの幅を２５〜１５０ｍｍとすることを特徴とする請求項１〜３のいずれか一項に記載の銅箔又は銅張り積層板の巻取り方法。
【請求項５】
広幅の粘着性のバックアップテープの長さが銅箔又は銅張り積層板の両端からそれぞれ２５〜１５０ｍｍ突出する長さの粘着性のバックアップテープを使用することを特徴とする請求項１〜４のいずれか一項に記載の銅箔又は銅張り積層板の巻取り方法。
【請求項６】
離型紙付両面接着剤付テープを使用し、巻取り操作を開始する前に、離型紙付両面接着剤付テープを芯管に予め貼り付けておくことを特徴とする請求項１〜５のいずれか一項に記載の銅箔又は銅張り積層板の巻取り方法。
【発明の詳細な説明】
【技術分野】
【０００１】
本発明は、銅箔又は銅張り積層板のコアへの巻取り方法に関する。
【背景技術】
【０００２】
ポリイミドフィルム等の樹脂フィルムに銅箔を積層したＦＣＣＬ（Flexible Copper Clad Laminate）は、電子産業における回路基板の素材として広く用いられている。銅箔には圧延銅箔と電解銅箔があるが、それぞれ芯管（「コアロール」とも言う。）へ巻取られており、これらを巻き戻しながら、ポリイミドフィルム等の樹脂フィルムに接着して金属被覆ポリイミド複合体が製造されている。【０００３】
従来、これらの巻取りの開始に際しては、芯管に接着剤を塗布するか又は離型紙が付いた両面接着テープを用いて巻取りが行われている。その代表的なものとして特許文献１を挙げることができる。
この特許文献１では、銅箔を芯管に離型紙付両面接着テープを用いて巻き付けし、巻取りロール状とする巻取り方法で、２個の離型紙付両面接着テープを用いて、固定するものである。【０００４】
このような接着テープを用いる方法や接着剤を巻取りの芯管に適用する方法には大きな問題を有する。それは巻取りの始端において段差あるいは凸状になり、しわやバギーを発生することである。
この段差は、銅箔をうまく貼り付けなかった場合又はきれいに切断しなかったような場合に発生するが、巻取りを行う銅箔の始端の発生はどうしても生ずるので、止むを得ない事情と言える。【０００５】
問題は、この銅箔に接着剤が加算され、始端の厚みが増大することである。巻取りは繰り返されるので、接着剤が加算された始端の部分で、上記のように常に段差が生ずることになる。巻取りの強度を高めるために接着性の向上は、ある意味では重要であるが、このような段差がある銅箔は好ましくない。【０００６】
また、前記しわやバギーを低減するためには、巻取りのテンションを低くする必要があった。しかし、巻取りのテンションが低いと、巻き取った銅箔を再使用する時の巻き戻し（「巻き出し」とも言う。）の際に、巻き崩れが生ずるという問題があった。【０００７】
巻取りの径が増加するにしたがって、段差の影響は小さくなるが、巻取りの径が小さい段階では、この段差による銅箔への品質の低下は無視できず、その部分の銅箔は製品として使用できない。したがって、このような状況は、製品歩留まりを大きく低下させることになる。
【特許文献１】特許第３５６５４２４号公報
【発明の開示】
【発明が解決しようとする課題】
【０００８】
本発明は上記のような問題点に鑑みてなされたものであり、その目的とするところは、巻取り時のしわやバギーの発生を抑制すること及び巻き取りのテンションを上げ、巻き崩れを防止することができる銅箔又は銅張り積層板の巻取り方法を提供するものである。
【課題を解決するための手段】
【０００９】
以上から、本発明は
１．芯管への銅箔又は銅張り積層板の巻取りに際し、長さが銅箔又は銅張り積層板の幅と同一長さである小幅の両面接着剤付テープを２本と、長さが銅箔又は銅張り積層板の幅よりも長い広幅の粘着性のバックアップテープ１本を用意し、１本目と２本目の両面接着剤付テープを、それぞれ隙間を空けて芯管の表面へ芯管軸と平行に貼り付け、次に銅箔又は銅張り積層板を１本目の両面接着剤付テープを始端として貼り付け、隣り合う２本目の両面接着剤付テープが存在する方向とは逆方向に銅箔又は銅張り積層板が周回するように芯管を回転させ、２本目の両面接着剤付テープが存在する位置に至ったところで、銅箔又は銅張り積層板を２本目の両面接着剤付テープを貼り付けると共に、この地点で芯管の回転を停止させ、さらに１本目と２本目の両面接着剤付テープとその上に周回された銅箔又は銅張り積層板の上から、前記長さが銅箔又は銅張り積層板の幅よりも長い広幅の粘着性のバックアップテープを芯管上へ貼り付けた後、巻取りを継続することを特徴とする銅箔又は銅張り積層板の巻取り方法
２．両面接着剤付テープの幅を１０〜５０ｍｍとすることを特徴とする上記１記載の銅箔の巻取り方法
３．１本目と２本目の両面接着剤付テープの隙間を０.１〜３０ｍｍとすることを特徴とする上記１又は２記載の銅箔又は銅張り積層板の巻取り方法
４．広幅の粘着性のバックアップテープの幅を２５〜１５０ｍｍとすることを特徴とする上記１〜３のいずれか一項に記載の銅箔又は銅張り積層板の巻取り方法
５．広幅の粘着性のバックアップテープの長さが銅箔又は銅張り積層板の両端からそれぞれ２５〜５００ｍｍ突出する長さの粘着性のバックアップテープを使用することを特徴とする上記１〜４のいずれか一項に記載の銅箔又は銅張り積層板の巻取り方法
６．離型紙付両面接着剤付テープを使用し、巻取り操作を開始する前に、離型紙付両面接着剤付テープを芯管に予め貼り付けておくことを特徴とする上記１〜５のいずれか一項に記載の銅箔又は銅張り積層板の巻取り方法を、提供する。
【発明の効果】
【００１０】
本発明は、巻取り時のしわやバギーの発生を抑制すること及び巻き取りのテンションを上げ、巻き崩れを防止することにより、製品歩留まりを高め、生産性を向上させることができるという優れた効果を有する。
【図面の簡単な説明】
【００１１】
【図１】芯管へ銅箔巻取りを開始した初期の概略説明図である。
【図２】芯管に貼付けた両面接着剤付テープ（１本目）に銅箔を貼付け、巻取りを開始する状況を示す断面説明図である。
【図３】巻きつけを開始し、銅箔が芯管一巡した時点で、両面接着剤付テープ（２本目）に貼付けた状況を示す断面説明図である。
【図４】巻きつけを開始し、銅箔が芯管一巡した時点で、両面接着剤付テープ（２本目）に貼付けた銅箔の、さらにその上にバックアップテープを貼付けた状況を示す断面説明図である。
【発明を実施するための形態】
【００１２】
次に、本願発明の代表的な例を、図面に添って説明する。なお、以下の説明は好適な一例を示すもので、本発明はこれらに限定されるものではない。したがって、本願特許請求の範囲及び明細書に記載する発明の技術思想に含まれる変形、他の例又は態様は、全て本発明に含まれるものである。
なお、本願発明は銅又は銅張り積層板に適用できるものであるが、以下の例では代表的に銅箔を用いて説明することとする。なお、当然のことではあるが、以下に説明する例において「銅箔」を「銅張り積層板」に置き換えることにより、銅張り積層板にも適用できることは容易に理解されるべきことである。
【００１３】
図１に、芯管への銅箔巻取りを開始した初期の概略説明図を示す。図１は巻取り用の芯管１へ銅箔２を巻取る様子を示す。芯管１には、通常ＡＢＳ、ＦＲＰにエポキシ樹脂又はＮＢＲをコートしたロール、フェノール樹脂を使用するが、表面がある程度の濡れ性を持ちかつ水、水溶液又は有機溶剤が染み込まない材質であれば、必ずしもこのロールに限定されるものではない。
芯管１への銅箔２の巻取りに際しては、長さが銅箔２の幅と同一長さである小幅の両面接着剤付テープ３、４を２本用意し、また、長さが銅箔の幅よりも長い広幅の粘着性のバックアップテープ２を１本用意する。
【００１４】
この両面接着剤付テープ３、４のサイズは特に制限はないが、銅箔２のサイズ、芯管１のサイズにより変更できる。通常、両面接着剤付テープの幅を１０〜５０ｍｍのものを使用する。
１本目と２本目の両面接着剤付テープ３、４を、図１に示すように、それぞれ隙間を空けて、芯管の表面へ芯管軸と平行に貼り付ける。１本目と２本目の両面接着剤付テープ３、４の隙間も任意であるが、効率を考慮して０.１〜３０ｍｍとするのが良い。
次に、図２に示すように、銅箔２を１本目の両面接着剤付テープ３を始端として貼り付け、隣り合う２本目の両面接着剤付テープ４が存在する方向とは逆方向に銅箔２が周回（一巡）するように芯管１を回転させる。
この回転により、２本目の両面接着剤付テープ４が存在する位置に至ったところで、図３に示すように、銅箔２を２本目の両面接着剤付テープ４に貼り付ける。同時に、この地点で芯管の回転を停止させる。
【００１５】
次に、図４に示すように、１本目と２本目の両面接着剤付テープ３、４とその上に周回された銅箔２の上から、前記長さが銅箔２の幅よりも長い広幅の粘着性のバックアップテープ５を芯管１上へ貼り付ける。その後、巻取りを継続する。広幅の粘着性のバックアップテープ５は、当然ながら片面（貼り付け面）が接着性を有すものである。
また、この広幅の粘着性のバックアップテープ５を貼り付けた後は、貼り付けの強度が大きく増すので、巻取りのテンション（張力）を上げることができる。これによってしわの発生や凸部の形成を抑制できる。
また、狭幅の両面接着剤付テープ３、４により発生する段差は、広幅の粘着性のバックアップテープ５によって緩和されるので、段差が目立たなくなるという大きな利点がある。
【００１６】
広幅の粘着性のバックアップテープ５の幅は、２５〜１５０ｍｍとするのが望ましい。この広幅の粘着性のバックアップテープ５の幅は、図１に示すように、銅箔の幅よりも長く、かつ両面接着剤付テープ３、４の幅とその間の隙間を加算した幅よりも大きいものであれば、特に制限されないが、通常２５〜１５０ｍｍの幅のビニールテープ５を使用する。この幅も巻き取る銅箔２のサイズ、芯管１のサイズにより変更できる。
【００１７】
前記特許文献１では、両面テープを銅箔より広く張付け、銅箔を両面テープに貼った後、この両面テープを除去するとある。この切取りの際に、銅箔まで切取る場合や、逆に除去が不完全で両面テープが残る場合がある。銅箔を切取った場合には巻取りのやり直しが必要となり、またそのまま巻き取ると、そこからシワが発生することになる。また両面テープが残っていると、両面テープにごみが付着し、銅箔の汚染原因となる。
しかし、本願発明のように、バックアップテープを用いると、両面テープの除去が不要であり、両面テープの粘着剤を覆うことになるので、ごみの付着も防止できるという大きな効果を有する。
【００１８】
広幅の粘着性のバックアップテープ５の長さは、銅箔の両端からそれぞれ２５〜１５０ｍｍ突出する長さの粘着性のバックアップテープを使用することができる。離型紙付両面接着剤付テープを使用し、巻取り操作を開始する前に、離型紙付両面接着剤付テープを芯管に予め貼り付けておくことも可能である。これによって、操作が集中せず、より簡単になるという利点がある。
以上により、巻取りが緩むことあるいは巻き重ねが崩れることがない。また、巻きほごし（巻き戻し）に際しても、銅箔製品の巻取りが緩むことあるいは巻き重ねが崩れることはなく、銅箔の連続した使用が可能である。
【００１９】
次に、実施例及び比較例について説明する。
（実施例）
厚さ１２μｍ、幅１２８０ｍｍの銅箔を、外形φ１１０ｍｍ、長さ１３８０ｍｍの芯管に巻き取る。
幅が１５ｍｍであり、長さは銅箔の幅より長い１２８５ｍｍとした両面接着剤付テープを２本用意し、これを図１及び図２に示すように芯管の貼付けた。１本目と２本目の両面接着剤付テープは、図１及び図２に示すように、それぞれ隙間２ｍｍとした。
この他、幅５０ｍｍとし、銅箔の両端からそれぞれ２５ｍｍ突出する長さの広幅の粘着性のバックアップテープを準備した。
【００２０】
図３に示すように、銅箔を芯管の周囲に一巡するように、芯管を回転し、２個目の両面接着剤付テープの位置で、銅箔を両面接着剤付テープに貼付け、さらにその上から、図１及び図４に示すように広幅の粘着性のバックアップテープを貼付け固定した。
そしてテンション２７ｋｇ、巻き取り速度６０ｍ／ｍｉｎで７００−９００ｍ巻き取った。巻き取り開始後、５ｍから５０ｍで、しわ等の不良の有無を確認し、不良の場合は、再度、コアへ銅箔の貼り付けを実施した。
【００２１】
このとき、しわ等の巻付け不良が発生した回数、その時廃棄した銅箔の長さを記録し、不良発生率、製品率及び巻きずれ発生率を求めた。計算方法は以下の通りである。
不良発生率＝不良発生回数／製品ロール本数 ×１００（％）
製品率＝（製品長さ）／（製品長さ+廃棄した銅箔長さ）×１００ (％)
巻きずれ発生率＝巻きずれ発生ロール（本）／製品ロール（本）×１００（％）この結果を表１に示す。
【００２２】
【表１】
2010061737.tif 000003
【００２３】
表１に示すように、実施例では、不良発生率は１．０％と少なく、製品率は９９．９％に達し、巻きずれ発生率は０．０４％と少なかった。後述する比較例に比べて良好な結果が得られた。
【００２４】
（比較例）
次に、バックアップテープ無しで巻取りを行った結果を示す。バックアップテープを使用しないこと以外は、実施例と同一条件とした。
すなわち、  図３に示すように、銅箔を芯管の周囲に一巡するように、芯管を回転し、２個目の両面接着剤付テープの位置で、銅箔を両面接着剤付テープに貼付け、さらにその上から、図１及び図４に示すように広幅の粘着性のバックアップテープを貼付け固定した。
【００２５】
そしてテンション２７ｋｇ、巻き取り速度６０ｍ／ｍｉｎで７００−９００ｍ巻き取った。巻き取り開始後、５ｍから５０ｍで、しわ等の不良の有無を確認し、不良の場合は、再度、コアへ銅箔の貼り付けを実施した。
そして、実施例と同様に、しわ等の巻付け不良が発生した回数、その時廃棄した銅箔の長さを記録し、不良発生率、製品率及び巻きずれ発生率を求めた。
【００２６】
この結果、表１に示すように、比較例では、不良発生率は１１．５％と多くなり、製品率は９９．３％と低下し、巻きずれ発生率は０．１２％と多くなった。
これは実施例に比べ明らかに不良であり、これはバックアップテープを用いなかった結果である。したがって、バックアップテープという簡単な構造でありながら、その存在の有無は、製品に大きな影響を与えることが分かった。
【産業上の利用可能性】
【００２７】
本発明は、銅箔又は銅張り積層板巻取り時のしわやバギーの発生を抑制すること及び巻き取りのテンションを上げ、巻き崩れを防止することにより、製品歩留まりを高め、生産性を向上させることができる方法を提供するものであり、これによって、巻取り時発生する段差による銅箔又は銅張り積層板への品質の低下を少なくして、その部分の銅箔を製品として使用できるようにすることにより、製品歩留まりを高め、生産性を向上させることができるという優れた効果を有するものである。これによって、フレキシブルプリント基板、ＴＡＢ、ＣＯＦ（Chip on Film）等の電子部品の実装素材として用いられる銅箔又は銅張り積層板の巻取り材として有用である。
【符号の説明】
【００２８】
１：芯管 
２：銅箔
３：両面接着剤付テープ（１本目）
４：両面接着剤付テープ（２本目） 
５：バックアップテープ
【図１】
2010061737.tif 000004
【図２】
2010061737.tif 000005
【図３】
2010061737.tif 000006
【図４】
2010061737.tif 000007
【国際調査報告】
2010061737.tif 000008
2010061737.tif 000009
2010061737.tif 000010